(57)【要約】【課題】供給される上水の水質が良い場合と、溶存固形物があって、その溶存固形物が沈殿する恐れのある場合とで、貯水タンクの水の排水レベルを切り換え得る製氷機の貯水タンクを提供する。【解決手段】溢水管１１と給水ポンプ１２とを設けた貯水タンク１３の上部に、導水路１４とノズル１５と還流孔１６とを設けた給水盤１７を一体に取り付け、上記給水ポンプ１２と上記導水路１４とを給水管１８で繋いだ給水機構１０を回転軸１９で支承し、製氷時には上記給水盤１７が冷却板２１と一体の製氷皿２０に当接し、製氷終了時には上記給水盤１７が傾斜して氷片を排出するようにしてなる製氷機の貯水タンクにおいて、上記貯水タンク１３の回動端に排水口２７を設け、該排水口２７に対して開口２８を設けたロータリー部材２９を設けてなる。【選択図】  図１
2004176950.tif 000002
【特許請求の範囲】
【請求項１】
溢水管と給水ポンプとを設けた貯水タンクの上部に、導水路とノズルと還流孔とを設けた給水盤を一体に取り付け、上記給水ポンプと上記導水路とを給水管で繋いだ給水機構を回転軸で支承し、製氷時には上記給水盤が冷却板と一体の製氷皿に当接し、製氷終了時には上記給水盤が回動・傾斜して氷片を排出するようにしてなる製氷機の貯水タンクにおいて、上記貯水タンクの回動端に排水口を設け、該排水口に、上記溢水管のレベルより高いレベルと、貯水タンクの水を完全排水するレベルとに、切り換えるバルブを設けたことを特徴とする製氷機の貯水タンク。
【請求項２】
上記バルブは、排水口に対して開口を設けたロータリー部材を配設してなる請求項１に記載の製氷機の貯水タンク。
【請求項３】
上記バルブは、設定時間ごとに、または設定回数ごとに切り換わるようにした請求項１または２に記載の製氷機の貯水タンク。
【発明の詳細な説明】
【０００１】
【発明の属する技術分野】
この発明は、キューブ形製氷機の貯水タンクであって、水質が良い場合と、溶存固形分が長時間の使用によって沈殿する可能性のある水質の場合とによって、水の排出程度を切り換え得るようにした製氷機の貯水タンクに関する。
【０００２】
【従来の技術】
これまでのキューブ形製氷機は、図３、図４に示すように貯氷室４５の上部に製氷部４４が配設されており、製氷部４４は溢水管３１と給水ポンプ３２とを設けた貯水タンク３３の上部に、導水路３４とノズル３５と還流孔３６とを設けた給水盤３７を一体に取り付け、上記給水ポンプ３２と導水路３４とを給水管３８で繋いだ給水機構３０を回転軸３９で支承し、製氷時には上記給水盤３７が冷却板４１と一体の製氷皿４０に当接し、製氷終了時には上記給水盤３７が傾斜して氷片を排出するように構成している。なお、上記貯水タンク３３には上水供給管４２が臨んでいる。
【０００３】
上記製氷機は、図３（ｂ）の状態で給水ポンプ３２によって水が供給され、給水管３８と導水路３４とノズル３５を経て製氷皿４０のキューブ４３内に間欠的に噴出・結氷し、余分の水は還流孔３６から貯水タンク３３に還流し、冷却板４１により噴出した水は結氷し氷片に成長する。
【０００４】
氷片が完成すると、回転軸３９を軸にして貯水タンク３３と共に給水盤３７が回動・傾斜し氷片が排出される。
【０００５】
【発明が解決しようとする課題】
上記従来の貯水タンクの構造では、常に一定の水が貯水タンク内に滞留しており、水の中に溶存している鉄成分やカルシウム成分等が、水中の酸素や炭酸ガス等と結合して微細な固形物となり長時間の内に貯水タンク内に沈殿する。
【０００６】
上記現象は、供給される上水の水質に係わり、水質の良いところでは問題にならないが、水質の良くない地域では溶存固形分が沈殿し、給水ポンプによって水と共に沈殿物が吸い上げられ、製氷皿のキューブ内に供給され氷片が濁ることとなり、場合によってはノズルが詰まってしまうことも考えられる。
【０００７】
上記問題に鑑みこの発明は、供給される上水の水質が良い場合と、溶存固形物があって、その溶存固形物が沈殿する恐れのある場合とで、貯水タンクの水の排水レベルを切り換え得る製氷機の貯水タンクを提供することを課題とする。
【０００８】
【課題を解決するための手段】
上記課題を解決するためにこの発明は、溢水管と給水ポンプとを設けた貯水タンクの上部に、導水路とノズルと還流孔とを設けた給水盤を一体に取り付け、上記給水ポンプと上記導水路とを給水管で繋いだ給水機構を回転軸で支承し、製氷時には上記給水盤が冷却板と一体の製氷皿に当接し、製氷終了時には上記給水盤が傾斜して氷片を排出するようにしてなる製氷機の貯水タンクにおいて、上記貯水タンクの回動端に排水口を設け、該排水口に、上記溢水管のレベルより高いレベルと、貯水タンクの水を完全排水するレベルとに、切り換えるバルブを設けた（請求項１）もので、上記切り換えバルブは、排水口に対して開口を設けたロータリー部材を配設し（請求項２）てなり、上記バルブは設定時間ごと、または設定回数ごとに切り換わる（請求項３）ようにしたものである。
【０００９】
上記の如く構成するこの発明によれば、水質が良い場合は切り換えバルブの開口を上向きにして溢水管から余分の水を排出するようにし、水質の悪い場合には切り換えバルブの開口を下向きにして、製氷が終了して給水機構が傾斜したとき貯水タンク内の水を全部排水できるようにして貯水タンク内に沈殿物が溜まらないようにできる。
【００１０】
【発明の実施の形態】次に実施形態を図面を参照しながら説明する。キューブ形製氷機は、図示しない貯氷室内の上部に図１、図２に示す製氷部２４が配設され、該製氷部２４は、溢水管１１と給水ポンプ１２とを設けた貯水タンク１３の上部に、導水路１４とノズル１５と還流孔１６とを設けた給水盤１７を一体に取り付け、上記給水ポンプ１２と上記導水路１４とを給水管１８で繋いだ給水機構１０を回転軸１９で支承し、製氷時には上記給水盤１７が、冷却板２１と一体の製氷皿２０に当接し、貯水タンク１３の水は給水ポンプ１２により給水管１８、導水路１４を経てノズル１５からキューブ２３内に噴出して結氷させ、結氷しなかった水は還流孔１６から貯水タンク１３に還流し、上記循環を繰り返しながら次第に結氷が成長して氷片となる。
【００１１】
製氷終了（氷片が完成）すると、上記給水機構１０が回転軸１９を中心にして回動し、上記給水盤１７が傾斜し、冷凍サイクルを逆作用させて製氷皿２０を温めて氷片を排出し、冷凍サイクルの作用を元に戻して上記給水機構１０を逆に回動し、上記給水盤１７を製氷皿２０に当接して製氷を再開する。
【００１２】
ここで、上記貯水タンク１３の回動端に排水口２７を設け、この排水口２７に対して開口２８を設けたロータリー部材２９を設けている。なお、給水機構１０には上水の供給管２２が臨んでいる。
【００１３】
図１は供給される上水の水質が良い場合の状態を示し、貯水タンク１３の排水口２７に対して設けたロータリー部材２９の開口２８は上向きになっている。
【００１４】
製氷中は、同図（ｂ）のように給水盤１７は製氷皿２０に当接して製氷皿２０のキューブ２３内に水が噴出し氷片が作られ、製氷が終了すると給水機構１０が回動し、給水盤１７が傾くが、図１（ａ）のようにロータリー部材２９の開口２８が上向きになっているので貯水タンク１３内の水は溢水管１１から溢水するが排出されることはない。
【００１５】
図２は供給される上水の水質が悪い場合の状態を示し、貯水タンク１３の排水口２７に対して設けたロータリー部材２９の開口２８は下向きになっている。
【００１６】
製氷中は、同図（ｂ）のように給水盤１７は製氷皿２０に当接して製氷皿２０のキューブ２３内に水が噴出し氷片が作られ、製氷が終了すると給水機構１０が回動し、給水盤１７が傾くと貯水タンク１３の水は同図（ａ）のようになりロータリー部材２９の開口２８を経て完全に排水され、固形分が沈殿する前に共に排出される。
【００１７】
上記実施形態において、上記ロータリー部材２９の開口２８を下向きにする機会を、一定時間、または製氷回数を一定回数に設定し、その設定時間ごと、または設定回数ごとに、上記開口２８を下向きにするようにすることができる。
【００１８】
また、上記貯水タンク１３の底に鏡を配置し、その鏡に対向するように反射形光センサーを設置し、この光センサーの信号により上記ロータリー部材２９の開口２８の位置を切り換えるようにすることができる。
【００１９】
また、上記貯水タンク１３の底の一部に光が透過する部分を設け、その部分を通して光透過形光センサーを設置し、この光センサーの信号により上記ロータリー部材２９の開口２８の位置を切り換えるようにすることができる。
【００２０】
【発明の効果】
以上説明した如くこの発明によれば、供給される上水の水質に合わせて貯水タンク内の水を入れ換えるようにすることができ、経済的に最良の状態で製氷することが可能となり、また、製氷皿のキューブに水を噴出させるノズルが詰まるのを防止することができる。
【図面の簡単な説明】
【図１】この発明の係る実施形態における水質良の使用状態断面図で（ａ）は氷片排出時（ｂ）は製氷時を示す。
【図２】この発明の係る実施形態における水質否の使用状態断面図で（ａ）は氷片排出時（ｂ）は製氷時を示す。
【図３】従来の製氷部の断面図で（ａ）は氷片排出時（ｂ）は製氷時を示す。
【図４】製氷機全体の一部切り欠き側面図
【符号の説明】
１０，３０  給水機構
１１，３１  溢水管
１２，３２  給水ポンプ
１３，３３  貯水タンク
１４，３４  導水路
１５，３５  ノズル
１６，３６  還流孔
１７，３７  給水盤
１８，３８  給水管
１９，３９  回転軸
２０，４０  製氷皿
２１，４１  冷却板
２２，４２  上水の供給管
２３，４３  キューブ
２４，４４  製氷部
４５  貯氷室
４６  製氷機
【図１】
2004176950.tif 000003
【図２】
2004176950.tif 000004
【図３】
2004176950.tif 000005
【図４】
2004176950.tif 000006